【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
標準テレビジョン受像機上に表示するために、ビデオ信号とグラフィックス信号との混合信号を処理する装置であって、
テレビジョン受像機上に表示するため、また各リスト内の制御語内の一つまたはそれ以上のグラフィックスに関する一般情報を記憶するために、予め定めた順序で一つまたはそれ以上のグラフィックスをリストに作成するためのスプライト・リスト・テーブル
一つまたはそれ以上の各グラフィックスに対するスプライト・データ・テーブル内の水平走査線を、一つまたはそれ以上の各グラフィックスに対するスプライト・リスト・テーブルのリスト内の一つの制御語によってアクセスする場合に、一つまたはそれ以上の各グラフィックスの水平走査線に対するピクセル・データを記憶するためのスプライト・データ・テーブル、
一つまたはそれ以上のグラフィックス中の予め定めた各グラフィックスに対して、予め定めた特殊効果を行うために、スプライト・データ・テーブルから入手した各水平走査線内に、ピクセル・データを選択的に再配置するための独立した制御を行うために、スプライト・リスト・テーブルの一つまたはそれ以上のグラフィックスの予め定めたグラフィックスのリスト中の一つの制御語によってアクセスされる複数の制御語を有する走査線制御テーブル、
テレビジョン受像機の画面上の水平走査線内の予め定めた位置に、一つまたはそれ以上の各グラフィックスを組立また表示するために、予め定めた順序でグラフィックス・メモリのテーブルをアクセスするためのメモリ制御装置およびスプライト状態マシンを含む、グラフィックス・メモリを含む装置。
【請求項２】
グラフィックス・メモリが、テレビジョン受像機の画面の予め定めた分離された複数の各セクションを形成している、予め定めた数の水平走査線に対する少なくとも一つのスパン・リスト制御語を含むスパン・リスト・テーブルと、スプライト・リスト・テーブルの複数のＮ個のグラフィックス・リストの内のどれが能動状態にあり、予め定めた関連セクションに表示されるかを指定する一つまたはそれ以上のスパン・リスト制御語をさらに含み、
テレビジョン受像機の画面の予め定めたセクションを構成する場合に、メモリ制御装置およびスプライト状態マシンが、最初にスパン・リスト・テーブルの少なくとも一つのスパン・リスト制御語にアクセスし、その後で、能動状態にあり、少なくとも一つのスパン・リスト語内に含まれているスプライト・リスト・テーブルのグラフィック・リストだけアクセスする請求項１に記載の装置。
【請求項３】
スパン・リスト・テーブルのスパン・リスト譜の全数が、（ＮＳ／Ｘ）＊（ＮＨ／ＮＬ）で表され、式中、ＮＳがテレビジョン受像機の画面上に表示されているグラフィックスの全数であり、Ｘが各スパン・リスト制御語内で使用することができるビット数であり、ＮＨがテレビジョン受像機の画面の予め定めた複数の分かれているセクション全体中の水平走査線の数であり、ＮＬがテレビジョン受像機の画面の予め定めた各セクション内の一つのスパン・リスト制御語当たりの水平走査線の数である請求項２に記載の装置。
【請求項４】
レジスタがグラフィック・リスト内の制御語の数を指定し、各グラフィック・リストが同数の全制御語を含んでいる請求項２に記載の装置。
【請求項５】
メモリ制御装置およびスプライト状態マシンが、スプライト・リスト・テーブルからのフィールド・イネーブル信号に応答する請求項１に記載の装置であって、該スプライト・リスト・テーブルは第一の予め定めたグラフィック、第二の予め定めたグラフィックにアクセスし、組立を行うために、ビデオ画像の二つのフィールドからなるフレームのどちらかのフィールドが、テレビジョン受像機の画面上に現在表示されているかを示し、
該第一の予め定めたグラフィックは、二つのフィールドの内の一方のフィールドだけの水平走査線に対するスプライト・リスト・テーブル中にリストの形で記載されており、
該第二の予め定めたグラフィックは二つのフィールドの他方のフィールドの水平走査線に対するスプライト・リスト・テーブルまたは生のテレビジョン信号内にリストの形で記載されている請求項１に記載の装置。
【請求項６】
スプライト・データ・テーブルおよび走査線制御テーブルからの各水平走査線に対するメモリ制御装置およびスプライト状態マシンによってアクセスされたピクセル・データに応答するデータ・パイプであり、
該スプライト・データ・テーブルおよび走査線制御テーブルはスプライト・リスト作成・テーブルおよび走査線制御テーブルの予め定めた制御語に従って、各水平走査線に対する各ピクセル・データに対して、選択的なアドレスを生成するために、スプライト・リスト・テーブル中の各グラフィック・リストに対するスプライト・データ・テーブルおよび走査線制御テーブルであるデータパイプと、
該ピクセル・データの水平走査線に対してデータ・パイプが生成した予め定めた各選択的アドレスに従って、ピクセル・データの各水平走査線を組立、緩衝するために、各水平走査線に対するデータ・パイプから各ピクセル・データに対する予め定めた選択的アドレスに応答するピクセル・アセンブリ・バッファとを含む請求項１に記載の装置。
【請求項７】
スプライト・リスト・テーブルの一つまたはそれ以上のグラフィックスが、予め定めた優先順位に従って、シーケンシャルにリストの形で記載されている場合で、ピクセル・データの水平走査線を組み立てるために、メモリ制御装置およびスプライト状態マシンが、シーケンシャルにグラフィック・リストにアクセスする際、第一および第二のグラフィックスがテレビジョン受像機の画面上でオーバーラップしている場合には、水平走査線を組み立てている際、優先順位の高い方の第一のグラフィックのピクセル・データが、ピクセル位置内のより優先順位の低い第二のグラフィックスのピクセル・データの上に上書きされる請求項１に記載の装置。
【請求項８】
標準テレビジョン受像機上に表示するために、ビデオ信号とグラフィックス信号との混合信号を処理する装置であって、
テレビジョン受像機上に表示するため、また各リスト内の制御語内の一つまたはそれ以上のグラフィックスに関する一般情報を記憶するために、予め定めた順序で一つまたはそれ以上のグラフィックスをリストの形に作成するスプライト・リスト・テーブル、
一つまたはそれ以上の各グラフィックスのスプライト・データ・テーブル内の水平走査線が、一つまたはそれ以上の各グラフィックスに対するスプライト・リスト・テーブルのリスト内の一つ制御語によってアクセスされる場合に、一つまたはそれ以上の各グラフィックスの水平走査線に対するピクセル・データを記憶するためのスプライト・データ・テーブル、
一つまたはそれ以上のスパン・リスト制御語が、スプライト・リスト・テーブルの複数のＮ個のグラフィックス・リストの内のどれが能動状態にあり、予め定めたセクシヨーンに表示されるかを指定している場合、テレビジョン受像機の画面の複数の予め定めた独立している各セクションを構成している予め定めた数の水平走査線に対する少なくとも一つのスパン・リスト語を含むスパン・リスト・テーブル、
最初に、テレビジョン受像機の画面の予め定めたセクションを組み立てるときに、スパン・リスト・テーブルの少なくとも一つのスパン・リスト制御語にアクセスし、その後で、能動状態にあり、少なくとも一つのスパン・リスト語内に含まれているスプライト・リスト・テーブルおよびスプライト・リスト・テーブルのグラフィックのリストだけアクセスするメモリ制御装置およびスプライト状態マシンとを含む、グラフィックス・メモリを含む装置。
【請求項９】
スパン・リスト・テーブルのスパン・リスト語の全数が、（ＮＳ／Ｘ）＊（ＮＨ／ＮＬ）で表され、式中、ＮＳがテレビジョン受像機の画面上に表示されているグラフィックスの全数であり、Ｘが各スパン・リスト制御語内で使用することができるビット数であり、ＮＨがテレビジョン受像機の画面の予め定めた複数の分かれているセクション全体中の水平走査線の数であり、ＮＬがテレビジョン受像機の画面の予め定めた各セクション内の一つのスパン・リスト制御語当たりの水平走査線の数である請求項８に記載の装置。
【請求項１０】
スプライト・リスト・テーブルのグラフィックの各リストが、上記のグラフィック・リスト内の制御語の全数を指定するスプライト・リスト入力制御語を含み、各グラフィック・リストが、メモリ制御装置およびスプライト状態マシンが、能動状態にあり、少なくとも一つのスパン・リスト語内に表示されるスプライト・リスト・テーブルのグラフィック・リストヘジャンプすることができるように、同数の全制御語を含んでいる請求項８に記載の装置。
【請求項１１】
グラフィックス・メモリが、一つまたはそれ以上のグラフィックス中の予め定めた各グラフィックスに対して、予め定めた特殊効果を行うために、スプライト・データ・テーブルから入手した各水平走査線内に、ピクセル・データを選択的に再配置するため、独立した制御を行うために、スプライト・リスト・テーブルの一つまたはそれ以上のグラフィックスの予め定めたグラフィックスのリスト中の一つの制御語によってアクセスされる複数の制御語を含む走査線制御テーブルと、
テレビジョン受像機の画面上の水平走査線内の予め定めた位置に、一つまたはそれ以上の各グラフィックスを組立および表示するために、予め定めた順序でグラフィックス・メモリのスプライト・リスト・テーブル、スプライト・データ・テーブルおよび走査線制御テーブルをアクセスするためのメモリ制御装置およびスプライト状態マシンをさらに含む請求項８に記載の装置。
【請求項１２】
スプライト・データ・テーブルおよび走査線制御テーブルからの各水平走査線に対するメモリ制御装置およびスプライト状態マシンによってアクセスされたピクセル・データに応答するデータ・パイプであり、
該スプライト・データ・テーブルおよび走査線制御テーブルはスプライト・リスト作成・テーブルおよび走査線制御テーブルの予め定めた制御語に従って、各水平走査線に対する各ピクセル・データに対して、選択的なアドレスを生成するために、スプライト・リスト・テーブル中の各グラフィック・リストに対するスプライト・データ・テーブルおよび走査線制御テーブルであるデータパイプと、
該ピクセル・データの水平走査線に対してデータ・パイプが生成した予め定めた各選択的アドレスに従って、ピクセル・データの各水平走査線を組立、緩衝するために、各水平走査線に対するデータ・パイプから各ピクセル・データに対する予め定めた選択的アドレスに応答するピクセル・アセンブリ・バッファとを含む請求項１１に記載の装置。
【請求項１３】
メモリ制御装置およびスプライト状態マシンが、スプライト・リスト・テーブルからのフィールド・イネーブル信号に応答する請求項８に記載の装置であって、該スプライト・リスト・テーブルは第一の予め定めたグラフィック、第二の予め定めたグラフィックにアクセスし、組立を行うために、ビデオ画像の二つのフィールドからなるフレームのどちらかのフィールドが、テレビジョン受像機の画面上に現在表示されているかを示し、
該第一の予め定めたグラフィックは、メモリ制御装置およびスプライト状態マシンが、二つのフィールドの内の一方のフィールドだけの水平走査線に対するスプライト・リスト・テーブル中にリストの形で記載されており、
該第二の予め定めたグラフィックは二つのフィールドの他方のフィールドの水平走査線に対するスプライト・リスト・テーブルまたは生のテレビジョン信号内にリストの形で記載されている請求項８に記載の装置。
【請求項１４】
スプライト・リスト・テーブルの一つまたはそれ以上のグラフィックスが、予め定めた優先順位に従って、シーケンシャルにリストの形で記載されている場合で、ピクセル・データの水平走査線を組み立てるために、メモリ制御装置およびスプライト状態マシンが、シーケンシャルにグラフィック・リストにアクセスする際、第一および第二のグラフィックスがテレビジョン受像機の画面上でオーバーラップしている場合には、水平走査線を組み立てている際、優先順位の高い方の第一のグラフィックのピクセル・データが、ピクセル位置内のより優先順位の低い第二のグラフィックスのピクセル・データの上に上書きされる請求項８に記載の装置。
【請求項１５】
標準テレビジョン受像機上に表示するために、ビデオ信号とグラフィックス信号との混合信号を処理する装置であって、
テレビジョン受像機上に表示するため、また各リスト内の制御語内の一つまたはそれ以上のグラフィックスに関する一般情報を記憶するために、予め定めた順序で一つまたはそれ以上のグラフィックスのリストを作成するためのスプライト・リスト・テーブル、
一つまたはそれ以上の各グラフィックスに対するスプライト・データ・テーブル内の水平走査線を、一つまたはそれ以上の各グラフィックスに対するスプライト・リスト・テーブルのリスト内の一つの制御語によってアクセスする場合に、一つまたはそれ以上の各グラフィックスの水平走査線に対するピクセル・データを記憶するためのスプライト・データ・テーブル、
二つのフィールドの内の一方のフィールドだけの水平走査線に対するスプライト・リスト・テーブル中にリストの形で記載されている第一の予め定めたグラフィックと、二つのフィールドの他方のフィールドの水平走査線に対するスプライト・リスト・テーブルまたは生のテレビジョン信号内にリストの形で記載されている第二の予め定めたグラフィックにアクセスし、組み立てるために、二つのフィールドからなるフレームのどちらのフィールドが、テレビジョン受像機の画面上に現在表示されているかを示すスプライト・リスト・テーブルからのフイールド・イネーブル信号に応答するメモリ制御装置およびスプライト状態マシンを含むグラフィックス・メモリを含む装置。
【請求項１６】
グラフィックス・メモリが、一つまたはそれ以上のグラフィックス中の予め定めた各グラフィックズに対して、予め定めた特殊効果を行うために、スプライト・データ・テーブルから入手した各水平走査線内に、ピクセル・データを選択的に再配置する目的で、独立した制御を行うために、スプライト・リスト・テーブルの一つまたはそれ以上のグラフィックスの予め定めたグラフィックスのリスト中の制御語によってアクセスされる制御語を含む走査線制御テーブルと、
テレビジョン受像機の画面上の水平走査線内の予め定めた位置に、一つまたはそれ以上の各グラフィックスを組立および表示するために、予め定めた順序でグラフィックス・メモリのスプライト・リスト・テーブル、スプライト・データ・テーブルおよび走査線制御テーブルをアクセスするためのメモリ制御装置およびスプライト状態マシンをさらに含む請求項１５に記載の装置。
【請求項１７】
スプライト・データ・テーブルおよび走査線制御テーブルからの各水平走査線に対するメモリ制御装置およびスプライト状態マシンによってアクセスされたピクセル・データに応答するデータ・パイプであり、
該スプライト・データ・テーブルおよび走査線制御テーブルはスプライト・リスト作成・テーブルおよび走査線制御テーブルの予め定めた制御語に従って、各水平走査線に対する各ピクセル・データに対して、選択的なアドレスを生成するために、スプライト・リスト・テーブル中の各グラフィック・リストに対するスプライト・データ・テーブルおよび走査線制御テーブルであるデータパイプと、
該ピクセル・データの水平走査線に対してデータ・パイプが生成した予め定めた各選択的アドレスに従って、ピクセル・データの各水平走査線を組立、緩衝するために、各水平走査線に対するデータ・パイプから各ピクセル・データに対する予め定めた選択的アドレスに応答するピクセル・アセンブリ・バッファとを含む請求項１６に記載の装置。
【請求項１８】
グラフィックス・メモリが、テレビジョン受像機の画面の予め定めた独立している複数の各セクションを形成している、予め定めた数の水平走査線に対する少なくとも一つのスパン・リスト制御語を含むスパン・リスト・テーブルと、スプライト・リスト・テーブルの複数のＮ個のグラフィックス・リストの内のどれが能動状態にあり、関連する予め定めたセクションに表示されるかを指定する一つまたはそれ以上のスパン・リスト制御語をさらに含み、
テレビジョン受像機の画面の予め定めたセクションを組立る場合に、メモリ制御装置およびスプライト状態マシンが、最初にスパン・リスト・テーブルの少なくとも一つのスパン・リスト制御語にアクセスし、その後で、能動状態にあり、少なくとも一つのスパン・リスト語内に含まれているスプライト・リスト・テーブルのグラフィックのリストだけアクセスする請求項１５に記載の装置。
【請求項１９】
スパン・リスト・テーブルのスパン・リスト語の全数が、（ＮＳ／Ｘ）＊・（ＮＨ／ＮＬ）で表され、式中、ＮＳがテレビジョン受像機の画面上に表示されているグラフィックスの全数であり、Ｘが各スパン・リスト制御語内で使用することができるビット数であり、ＮＨがテレビジョン受像機の画面の予め定めた複数の独立しているセクション全体中の水平走査線の数であり、ＮＬがテレビジョン受像機の画面の予め定めた各セクション内の一つのスパン・リスト制御語当たりの水平走査線の数である請求項１８に記載の装置。
【請求項２０】
スプライト・リスト・テーブルの各グラフィック・各リストが、上記のグラフィック・リスト内の制御語の全数を指定するスプライト・リスト入力御御語を含み、各グラフィック・リストが、同数の全制御語を含んでいる請求項１８に記載の装置。
【請求項２１】
メモリ制御装置およびスプライト状態マシンが、スプライト・リスト・テーブルからのフィールド・イネーブル信号に応答する請求項１５に記載の装置であって、該スプライト・リスト・テーブルは第一の予め定めたグラフィック、第二の予め定めたグラフィックにアクセスし、組立を行うために、ビデオ画像の二つのフィールドからなるフレームのどちらかのフィールドが、テレビジョン受像機の画面上に現在表示されているかを示し、
該第一の予め定めたグラフィックは、メモリ制御装置およびスプライト状態マシンが、二つのフィールドの内の一方のフィールドだけの水平走査線に対するスプライト・リスト・テーブル中にリストの形で記載されており、
該第二の予め定めたグラフィックは二つのフィールドの他方のフィールドの水平走査線に対するスプライト・リスト・テーブルまたは生のテレビジョン信号内にリストの形で記載されている請求項１５に記載の装置。
【請求項２２】
スプライト・リスト・テーブルの一つまたはそれ以上のグラフィックスが、予め定めた優先順位に従って、シーケンシャルにリストの形で記載されている場合で、ピクセル・データの水平走査線を組立るために、メモリ制御装置およびスプライト状態マシンが、シーケンシャルにグラフィック・リストにアクセスする際、第一および第二のグラフィックスがテレビジョン受像機の画面上でオーバーラップしている場合には、水平走査線を組立てている際、優先順位の高い方の第一のグラフィックのピクセル・データが、ピクセル位置のより優先順位の低い第二のグラフィックスのピクセル・データの上に上書きされる請求項１５に記載の装置。